(57)【要約】  【課題】  本発明は、テープ状記録媒体の媒体管理に関し、より詳細にはバックアップセンタとテープ状記録媒体の保管拠点と媒体管理を行なう管理サーバとがネットワークを介して接続する構成でテープ状記録媒体の管理を行なう媒体管理方法および媒体管理プログラムに関するものである。  【解決手段】  本発明は、管理サーバが輸送ストレス評価値ＤＢと稼働情報ＤＢとを備え、バックアップセンタから指定されたテープ状記録媒体のテープＩＤの情報とテープ巻き直し要否、または媒体交換要否の諮問要求を受信し、その諮問要求に基づいて輸送ストレス評価値ＤＢと稼働情報ＤＢとを参照し、テープＩＤに対する参照した情報と諮問要求によって定められる所定の規則とによって諮問要求に対する回答内容を決定し、バックアップセンタに回答する、よう構成する。【選択図】    図１
2008171180.tif 000002
【特許請求の範囲】
【請求項１】
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記管理サーバが、
前記バックアップセンタと前記保管拠点間、または異なるバックアップセンタ間の前記テープ状記録媒体の拠点間の輸送において、該テープ状記録媒体が受けるストレスの大きさを評価した評価値を前記管理サーバが備える記憶部に輸送ストレス評価値ＤＢとして予め記憶する輸送ストレス評価値記憶手順と、
前記バックアップセンタが使用した前記テープ状記録媒体のテープＩＤ、該バックアップセンタの拠点ＩＤ、使用期日を含む稼働情報を該バックアップセンタから受信し、稼働情報ＤＢとして前記記憶部に記憶する稼働情報記憶手順と、
前記保管拠点に入庫した前記テープ状記録媒体のテープＩＤと該保管拠点の拠点ＩＤを含む入庫情報を該保管拠点から受信し、前記稼働情報ＤＢに記憶する入庫情報記憶手順と、
前記バックアップセンタから指定されたテープＩＤの情報を含むテープ巻き直し要否の諮問要求を受信する諮問要求受信手順と、
前記諮問要求に基づいて前記輸送ストレス評価値ＤＢと前記稼働情報ＤＢとを参照し、前記テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する回答手順と
を実行することを特徴とする媒体管理方法。
【請求項２】
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記管理サーバが、
前記バックアップセンタが使用した前記テープ状記録媒体に対するテープＩＤ、新規使用開始期日、リード／ライトエラーによるリトライ発生回数、マウント回数を含む稼働情報を該バックアップセンタから受信し、稼働情報ＤＢとして前記記憶部に記憶する稼働情報記憶手順と、
前記バックアップセンタから指定されたテープＩＤの情報を含む媒体交換要否の諮問要求を受信する諮問要求受信手順と、
前記諮問要求に基づいて前記稼働情報ＤＢを参照し、前記テープＩＤに対するテープ状記録媒体の前記リトライ発生回数または前記マウント回数がそれぞれに設定された所定回答をいずれかが越える場合、または前記新規使用開始期日から現在時点までの使用期間が所定使用期間を越えている場合に媒体交換要と決定し、前記バックアップセンタに回答する回答手順と
を実行することを特徴とする媒体管理方法。
【請求項３】
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記バックアップセンタのコンピュータが、
前記テープ状記録媒体を前記バックアップセンタのテープライブラリ装置から排出するときに、該テープ状記録媒体のテープＩＤ、前記バックアップセンタの拠点ＩＤ、使用期日、新規使用開始期日、リード／ライトエラーによるリトライ発生回数、マウント回数を含む稼働情報を前記管理サーバに送信する稼働情報送信手順と
前記テープ状記録媒体が前記テープライブラリ装置に投入されたとき、該テープ状記録媒体のテープＩＤを含むテープ巻き直し要否の諮問要求を前記管理サーバに送信するテープ巻き直し諮問要求手順と、
前記テープ状記録媒体が前記テープライブラリ装置においてリード／ライトエラーを発生したとき、該テープ状記録媒体のテープＩＤを含む媒体交換要否の諮問要求を前記管理サーバに送信する媒体交換諮問要求手順と、
前記管理サーバからの前記諮問要求に対する回答を受信する回答受信手順と、
前記テープＩＤのテープ状記録媒体に対し、前記回答の内容に対応した処理を実行する対応処理実行手順と
を実行することを特徴とする媒体管理方法。
【請求項４】
前記テープ状記録媒体が磁気テープであること
を特徴とする請求項１乃至請求項３に記載の媒体管理方法。
【請求項５】
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理プログラムであって、
前記管理サーバが、
前記バックアップセンタと前記保管拠点間、または異なるバックアップセンタ間の前記テープ状記録媒体の拠点間の輸送において、該テープ状記録媒体が受けるストレスの大きさを評価した評価値を前記管理サーバが備える記憶部に輸送ストレス評価値ＤＢとして予め記憶する輸送ストレス評価値記憶手順と、
前記バックアップセンタが使用した前記テープ状記録媒体のテープＩＤ、該バックアップセンタの拠点ＩＤ、使用期日を含む稼働情報を該バックアップセンタから受信し、稼働情報ＤＢとして前記記憶部に記憶する稼働情報記憶手順と、
前記保管拠点に入庫した前記テープ状記録媒体のテープＩＤと該保管拠点の拠点ＩＤを含む入庫情報を該保管拠点から受信し、前記稼働情報ＤＢに記憶する入庫情報記憶手順と、
前記バックアップセンタから指定されたテープＩＤの情報を含むテープ巻き直し要否の諮問要求を受信する諮問要求受信手順と、
前記諮問要求に基づいて前記輸送ストレス評価値ＤＢと前記稼働情報ＤＢとを参照し、前記テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する回答手順と
を実行するための媒体管理プログラム。
【発明の詳細な説明】
【技術分野】
【０００１】
本発明は、テープ状記録媒体の媒体管理に関し、より詳細にはバックアップセンタとテープ状記録媒体の保管拠点と媒体管理を行なう管理サーバとがネットワークを介して接続する構成でテープ状記録媒体の管理を行なう媒体管理方法および媒体管理プログラムに関するものである。
【背景技術】
【０００２】
災害に対するデータの保全を図るため、近年ではバックアップセンタを複数拠点化すると共に、互いのバックアップセンタが離れるように遠隔地に設けることが行なわれるようになってきた。これは、地震や台風などの広域災害にも対応するためのものである。データのバックアップは定期的あるいは不定期に行なわれ、これらは業務を運用している利用者が定めた運用ルールに基づいて行なわれている。
【０００３】
バックアップセンタではバックアップ装置としてテープライブラリ装置が多く用いられ、バックアップ媒体としてカートリッジに収納した磁気テープが多く用いられている。このような磁気テープはバックアップ時以外でもテープライブラリ装置内に装着した状態で置かれる場合もあるが、テープライブラリ装置から排出してバックアップセンタ内の保管場所、あるいはバックアップセンタとは異なる磁気テープ保管拠点で保管する場合もある。また、磁気テープは他の拠点のバックアップセンタに送られ、そこでデータの復元やバックアップが行なわれることもある。
【０００４】
このように磁気テープ媒体が長期に保管されたり、バックアップセンタ間あるいはバックアップセンタと磁気テープ保管拠点間を輸送されるとデータのリードあるいはライト時に障害を発生させる場合がある。例えば、長期間磁気テープを巻いたままの状態にしておくとストレスで磁気テープが伸びたり、輸送中の急激な温度変化や振動によりシンチングを発生し、正常なリード／ライト動作を阻害する。このような問題は、一旦テープの巻き直しを行なうことによりストレスが開放され、正常な状態での使用が可能となることが知られている。
【０００５】
また、上記に述べたリード／ライト動作を阻害するものとして、磁気テープの磁化力の低下による場合がある。これは、磁気テープの使用頻度が高い場合や、使用頻度が低くても使用開始から長時間を経た場合に、磁気テープの記録層が劣化することによるものである。こような場合は磁気テープを新しい磁気テープと交換(媒体交換)する必要がある。
【０００６】
カートリッジテープを自動的に巻き直しを行なう方法が提案されている。この方法は、磁気テープ装置内に温度センサを設け、温度センサで検出した温度が所定のしきい値温度以下であった場合にカートリッジテープの記録／再生の開始前に全長に渡ってテープの巻き直しを行なうものである（特許文献１）。
【０００７】
また、他の提案として、カセット毎に前回巻き直しが行なわれた時間を記録しておき、その時間と現在時間とから保存期間を算出し、設定した保存期間を過ぎたカセットを収納棚から取り出し巻き直しを行なうものである（特許文献２）。
【特許文献１】特開平４−１２５８３５号公報
【特許文献２】特開平５−２８２７５５号公報
【発明の開示】
【発明が解決しようとする課題】
【０００８】
上記に述べたように、バックアップセンタで使用する磁気テープは保存期間や輸送などによるストレスのために正常にリード／ライトの動作ができないことが生ずる、という問題があった。また、磁気テープの磁化力の低下による場合でも同様に正常のリード／ライト動作ができない問題があった。
【０００９】
このような問題に鑑み、複数のバックアップセンタで使用する磁気テープを含むテープ状記録媒体に対してテープ状記録媒体毎に一元管理する媒体管理方法および媒体管理プログラムを提供することを目的とする。
【課題を解決するための手段】
【００１０】
本発明の媒体管理方法および媒体管理プログラムは以下のように構成される。
（１）第１の発明
第１の発明は、テープ状記録媒体を用いてデータのバックアップを行なうバックアップセンタとテープ状記録媒体の保管拠点とテープ状記録媒体の媒体管理を行なう管理サーバとがネットワークを介して接続する構成を成し、その構成における管理サーバのテープ巻き直しに対する媒体管理方法の発明である。
【００１１】
図１は管理サーバの媒体管理方法の原理を示すもので、輸送ストレス評価値記憶手順１、稼働情報記憶手順２、入庫情報記憶手順３、諮問要求受信手順４および回答手順５で構成する。
【００１２】
輸送ストレス評価値記憶手順１は、バックアップセンタと保管拠点間、または異なるバックアップセンタ間のテープ状記録媒体の拠点間の輸送において、そのテープ状記録媒体が受けるストレスの大きさを評価した評価値を管理サーバが備える記憶部に輸送ストレス評価値ＤＢとして予め記憶する。例えば、バックアップセンタＡからバックアップセンタＢへのテープ状記録媒体の輸送は寒冷地から長距離の陸送によるものであるとすれば、テープ状記録媒体に与えるストレスは大きく、輸送ストレス評価値を輸送ストレス評価値ＤＢに記憶させておく。例えば、ストレスが大きい程、輸送ストレス評価値は大きいものとする。
【００１３】
稼働情報記憶手順２は、バックアップセンタが使用したテープ状記録媒体のテープＩＤ、そのバックアップセンタの拠点ＩＤ、使用期日を含む稼働情報をバックアップセンタから受信し、稼働情報ＤＢとして記憶部に記憶する。
【００１４】
入出庫記憶手順３は、保管拠点に入庫したテープ状記録媒体のテープＩＤとその保管拠点の拠点ＩＤを含む入庫情報を保管拠点から受信し、前記稼働情報ＤＢに記憶する。
【００１５】
諮問要求受信手順４は、バックアップセンタから指定されたテープＩＤの情報を含むテープ巻き直し要否の諮問要求を受信する。
【００１６】
回答手順５は、諮問要求に基づいて輸送ストレス評価値ＤＢと稼働情報ＤＢとを参照し、テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する。
【００１７】
上記の構成により、管理サーバが媒体管理に必要な情報を一元管理しているので、バックアップセンタからのテープ巻き直しの諮問要求に対して対応する処理を回答できる。
【００１８】
（２）第２の発明
第２の発明は、テープ状記録媒体を用いてデータのバックアップを行なうバックアップセンタとテープ状記録媒体の保管拠点とテープ状記録媒体の媒体管理を行なう管理サーバとがネットワークを介して接続する構成を成し、その構成における管理サーバの媒体交換に対する媒体管理方法の発明である。
【００１９】
第２の発明の媒体管理方法は、稼働情報記憶手順、諮問要求受信手順および回答手順で構成する。
【００２０】
稼働情報記憶手順は、バックアップセンタが使用したテープ状記録媒体に対するテープＩＤ、新規使用開始期日、リード／ライトエラーによるリトライ発生回数、マウント回数を含む稼働情報をバックアップセンタから受信し、稼働情報ＤＢとして前記記憶部に記憶する。
【００２１】
諮問要求受信手順は、バックアップセンタから指定されたテープＩＤの情報を含む媒体交換要否の諮問要求を受信する。
【００２２】
回答手順は、諮問要求に基づいて稼働情報ＤＢを参照し、テープＩＤに対するテープ状記録媒体の前記リトライ発生回数またはマウント回数がそれぞれに設定された所定回答をいずれかが越える場合に媒体交換要と決定し、要求元であるバックアップセンタに回答する。または、新規使用開始期日から現在時点までの使用期間が所定使用期間を越えている場合に媒体交換要と決定し、バックアップセンタに回答する。
【００２３】
上記の構成により、管理サーバが媒体管理に必要な情報を一元管理しているので、バックアップセンタからの媒体交換の諮問要求に対して対応する処理を回答できる。
（３）第３の発明
第３の発明は、テープ状記録媒体を用いてデータのバックアップを行なうバックアップセンタとテープ状記録媒体の保管拠点とテープ状記録媒体の媒体管理を行なう管理サーバとがネットワークを介して接続する構成を成し、その構成におけるバックアップセンタのコンピュータが行なう媒体管理方法の発明である。
【００２４】
図２はバックアップセンタのコンピュータの媒体管理方法の原理を示すもので、稼働情報送信手順１０、テープ巻き直し諮問要求手順２０、媒体交換諮問要求手順３０、回答受信手順４０、対応処理実行手順５０およびで構成する。
【００２５】
稼働情報送信手順１０は、テープ状記録媒体をバックアップセンタのテープライブラリ装置から排出するときに、そのテープ状記録媒体のテープＩＤ、バックアップセンタの拠点ＩＤ、使用期日、新規使用開始期日、リード／ライトエラーによるリトライ発生回数、マウント回数を含む稼働情報を送信する。
【００２６】
テープ巻き直し諮問要求手順２０は、テープ状記録媒体が前記テープライブラリ装置に投入されたとき、該テープ状記録媒体のテープＩＤを含むテープ巻き直し要否の諮問要求を前記管理サーバに送信する。
【００２７】
媒体交換諮問要求手順３０は、テープ状記録媒体がテープライブラリ装置においてリード／ライトエラーを発生したとき、そのテープ状記録媒体のテープＩＤを含む媒体交換要否の諮問要求を管理サーバに送信する。
【００２８】
回答受信手順４０は、管理サーバからの前記諮問要求に対する回答を受信する。
【００２９】
対応処理実行手順５０は、諮問要求を行なったテープＩＤのテープ状記録媒体に対し、回答の内容に対応した処理を実行する。例えば、テープ巻き直し諮問要求に対して「巻き直し要」との回答であれば、そのテープＩＤのテープ状記録媒体のテープ巻き直しを実施する。また、媒体交換諮問要求に対して「媒体交換要」との回答であれば、そのテープＩＤのテープ状記録媒体を媒体交換するよう、オペレータに対して通知を行なう。
【００３０】
上記の構成により、バックアップセンタは管理サーバに諮問することによりテープの巻き直しの要否あるいは媒体交換の要否を知り、それに応じた処理を実行できる。また、複数のバックアップセンタが稼働情報をそれぞれ管理サーバに送信することにより、管理サーバで稼働情報の一元管理ができる。
（４）第４の発明
第４の発明は、第１から第３の発明におけるテープ状記録媒体が磁気テープであることを特徴とするものである。
（５）第５の発明
第５の発明は、第１の発明における媒体管理プログラムの発明である。
【発明の効果】
【００３１】
上述した本発明によれば、次に示す効果が得られる。
【００３２】
第１の発明により、管理サーバがテープ状記録媒体の情報を一元管理しているので、テープ巻き直しが確実に実施できる媒体管理方法の提供ができる。
【００３３】
第２の発明により、管理サーバがテープ状記録媒体の情報を一元管理しているので、媒体交換が確実に実施できる媒体管理方法の提供ができる。
【００３４】
第３の発明により、バックアップセンタは管理サーバに諮問することで、テープ巻き直しおよび媒体交換を確実に実施できる媒体管理方法の提供ができる。
【００３５】
第４の発明により、管理サーバが磁気テープの情報を一元管理しているので、テープ巻き直しや媒体交換を確実に実施できる媒体管理方法の提供ができる。また、バックアップセンタが管理サーバに諮問することで、磁気テープのテープ巻き直しおよび媒体交換を確実に実施できる媒体管理方法の提供ができる。
【００３６】
第５の発明により、第１の発明と同様の効果が得られる媒体管理プログラムの提供ができる。
【発明を実施するための最良の形態】
【００３７】
媒体管理システムの実施形態を、図３から図１０を用いて説明する。
【００３８】
図３は、媒体管理システムの構成例を示すもので本発明に係わる部分のみを示し、管理サーバ１００、ネットワーク２００、バックアップセンタＡ３００、バックアップセンタＢ４００及び磁気テープ保管拠点５００から構成する。ここでは、テープ状記録媒体としてカートリッジに収納した磁気テープ（以降、カートリッジ磁気テープまたはＣＭＴ（Cartridge Magnetic Tape）とも言う）を例に説明する。また、ここではバックアップセンタのバックアップ用として磁気テープライブラリ装置（以降、ＭＴＬ（Magnetic Tape Library）とも言う）を用いることとして説明する。
【００３９】
管理サーバ１００は、輸送ストレス評価値ＤＢ１１０と稼働情報ＤＢ１２０を備え、バックアップセンタＡ３００やバックアップセンタＢ４００からの諮問要求に応じて、要求元のバックアップセンタに回答する。ネットワーク２００は、例えば専用回線である。バックアップセンタＡ３００は、コンピュータ３１０とＭＴＬ−Ａ３２０、ＭＴＬ−Ｂ３３０から構成し、バックアップセンタＢ４００は、コンピュータ４１０とＭＴＬ−Ｃ４２０から構成する。磁気テープ保管拠点５００はコンピュータ５１０とここに保管されたＣＭＴ（カートリッジ磁気テープ）５０１から構成する。
【００４０】
次に管理サーバ１００、ネットワーク２００、バックアップセンタＡ３００および磁気テープ保管拠点５００の個々の構成について説明する。
【００４１】
図４は管理サーバ１００の構成を示すもので、全体を制御する主制御部１３０、ネットワーク２００との通信を制御する通信制御部１４０、輸送ストレス評価値を登録するための入力機器であるＫＢ（キーボード）１５１を制御する入力制御部１５０、拠点間の輸送システム評価値を記憶した輸送システム評価値ＤＢ１１０、各ＣＭＴのバックアップセンタにおける稼働情報を記憶した稼働情報ＤＢ１２０及び主記憶１６０にロードされた媒体管理プログラム１７０から構成する。
【００４２】
媒体管理プログラム１７０は、更に輸送ストレス評価値登録部１７１、稼働情報登録部１７２及び諮問要求処理部１７３から構成する。
【００４３】
輸送ストレス評価値登録部１７１は、ＫＢ１５１からオペレータによって入力された輸送ストレス評価値を輸送ストレス評価値ＤＢ１２０に登録（記憶）する。
【００４４】
稼働情報登録部１７２は、バックアップセンタＡ３００あるいはバックアップセンタＢ４００から送信されたＣＭＴの稼働情報を受信し、その情報を稼働情報ＤＢ１２０に登録する。あるいは保管拠点５００から送信されたＣＭＴの入力情報を受信し、その情報を稼働情報ＤＢ１２０に登録する。
【００４５】
諮問要求処理部１７３は、バックアップセンタＡ３００あるいはバックアップセンタＢ４００から送信されたテープ巻き直し要否あるいは媒体交換要否の諮問要求を受信し、輸送ストレス評価値ＤＢ１１０と稼働情報ＤＢ１２０とを参照し、この諮問要求処理部１７３に記述された規則により諮問要求に対する回答を作成し、要求元のバックアップセンタに回答（送信）する。
【００４６】
次に、輸送システム評価値ＤＢ１１０と稼働情報ＤＢ１２０のデータ例を説明する。
【００４７】
図５は、輸送システム評価値ＤＢ１１０のデータ例を示すもので、拠点間の輸送に伴うＣＭＴに与えるストレスの評価値を示している。１行目にはバックアップセンタと磁気テープ保管拠点を、１列目にはバックアップセンタのみを示し、その相互間の輸送によるストレス評価値を表中の各カラムに示している。この表の見方は、１列目のバックアップセンタを基準にし、そのバックアップセンタに対して１行目の拠点に対する輸送ストレス評価値を求めるものである。諮問要求はバックアップセンタからなされるので、１列目はバックアップセンタのみを掲げている。数値の高いもの程ストレスが大きいことを示しており、例えばバックアップセンタＡと磁気テープ保管拠点Ａとの間の輸送ストレス評価値は１００と高いが、バックアップセンタＢと磁気テープ保管拠点Ａとの間の輸送ストレス評価値は２０と低い。これは磁気テープ保管拠点ＡがバックアップセンタAに対しは遠い距離にあって気候条件も大きく異なり、バックアップセンタＢに対しては比較的近い距離にあって気候条件も同じである、などの理由による。
【００４８】
図６は、稼働情報ＤＢ１２０のデータ例を示すもので、ＣＭＴを識別するための「テープＩＤ」、ＣＭＴを新規に使用した年月日を示す「テープ使用開始年月日」、最も近い時期にＣＭＴが使用された年月日を示す「直近の使用年月日」、同様にＣＭＴが装着されたバックアップセンタあるいは保管され保管拠点を識別するための「直近の拠点ＩＤ」、「直近の拠点ＩＤ」がバックアップセンタであったときのそのバックアップセンタにおけるＭＴＬ装置を識別するための「ＭＴＬ装置ＩＤ」、リードやライト時のエラーでリトライが発生した回数の累計である「リトライ発生回数累計」およびＣＭＴがＭＴＬにおいてマウントされた回数の累計である「マウント回数累計」などの各フィールドからなる。例えば、テープＩＤが１０００１のＣＭＴは、２００４年４月１０日に初めて使用され、直近では２００６年１０月１５日にバックアップセンタＢのＭＴＬ−Ｃの磁気テープライブラリ装置で使用され、そのリトライの発生回数の累計は３回であり、マウント回数の累計は１５０回であることが分かる。この稼働情報はバックアップセンタにおいて磁気テープライブラリ装置から排出されたときに管理サーバに送信されるようになっている。管理サーバは稼働情報を受信すると、該当するテープＩＤに対し、「直近の使用年月日」、「直近の拠点ＩＤ」、「ＭＴＬ装置ＩＤ」の各フィールドに対しては受信した対応する情報に置き換える（更新する）が、「リトライ発生回数累計」と「マウント回数累計」のフィールドの値は累計であるので、更新前の値に受信した値を加算し、その値を記憶することになる。また、受信した稼働情報のテープＩＤが稼働情報ＤＢ１２０に存在しなければ、新規のＣＭＴと見なして新たにテープＩＤを設定して、「テープ使用開始年月日」は「直近の使用年月日」と同じ期日にする。磁気テープ保管拠点から入庫情報が送信された場合は、「直近の使用年月日」はそのままに、「直近の拠点ＩＤ」を送信元である磁気テープ保管拠点のＩＤに、「ＭＴＬ装置ＩＤ」フィールドはブランクに更新する。
【００４９】
次に、バックアップセンタの構成例を説明する。図７はバックアップセンタ３００の構成を示すもので、コンピュータ３１０とＭＴＬ−Ａ３２０およびＭＴＬ−Ｂ３３０から成る。
【００５０】
コンピュータ３１０は、全体を制御する主制御部３４０、ネットワーク２００との通信を制御する通信制御部３５０、ＭＴＬ−Ａ３２０とＭＴＬ−Ｂ３３０の２台の磁気テープライブラリ装置を制御する入力制御部３６０、及び主記憶３７０にロードされたバックアップセンタ用の媒体管理プログラム３８０から構成する。
【００５１】
媒体管理プログラム３８０は、更に稼働情報送信部３８１、諮問要求部３８２及び回答対応処理部３８３から構成する。
【００５２】
稼働情報送信部３８１は、ＣＭＴを磁気テープライブラリ装置から排出するとき、そのときの年月日やその磁気テープライブラリ装置に装着してからのリトライの発生回数やマウント回数を稼働情報として管理サーバ１００に送信する。
【００５３】
諮問要求部３８２は、ＣＭＴをＭＴＬ−Ａ３２０またはＭＴＬ−Ｂ３３０に投入した場合のテープ巻き直し要否の諮問要求、またはＣＭＴのリードまたはライト時にエラーが発生した場合の媒体交換要否の諮問要求を管理サーバ１００に送信することを行なう。諮問要求には諮問する対象のＣＭＴのテープＩＤの情報を含んでいる。
【００５４】
回答対応処理部３８３は、諮問要求に対する管理サーバ１００からの回答を受信し、その回答に対する処理を実行する。例えば、テープ巻き直し要否の諮問要求に対する回答が「巻き直し要」であれば、該当するＣＭＴを全長に渡って巻き直しを実行する。あるいは、媒体交換要否の諮問要求に対する回答が「媒体交換要」であれば、オペレータに対し媒体交換が必要であることを通知する。
【００５５】
なお、磁気テープライブラリ装置（ＭＴＬ−Ａ３２０、ＭＴＬ−Ｂ３３０）はＣＭＴの投入排出機構を持ち、ここにＣＭＴを投入するとハンドがこのＣＭＴを掴み、ＣＭＴを掴んだまま搬送し、ドライブにＣＭＴを装着する。あるいは、磁気テープライブラリ装置内のラック収納棚にＣＭＴを格納する。ハンドはバーコードリーダを搭載し、ハンドがＣＭＴを掴んだとき、ＣＭＴに貼付してあるテープＩＤを読み取ることができるようになっている。
【００５６】
また、ここではバックアップセンタＡ３００の構成について説明したが、バックアップセンタＢ４００については磁気テープライブラリ装置が１台であるだけの違いで他はバックアップセンタＡ３００と同様の内容であるので説明を省略する。
【００５７】
次に、磁気テープ保管拠点５００の構成例を説明する。図８は磁気テープ保管拠点５００のコンピュータ５１０の構成を示すもので、全体を制御する主制御部５２０、ネットワーク２００との通信を制御する通信制御部５３０、ＣＭＴに貼付されているテープＩＤのバーコードを読み取るバーコードリーダ５４１を制御する入出力制御部５４０及び主記憶５５０にロードされた磁気テープ保管拠点用の媒体管理プログラム５６０から構成する。
【００５８】
媒体管理プログラム５６０は入庫情報送信部５６１からなり、入庫情報送信部５６１はＣＭＴが入庫されたときオペレータの操作によってバーコードリーダ５４１からＣＭＴに貼付さているバーコードが読み取られると自身の磁気テープ保管拠点の拠点ＩＤとともにテープＩＤの情報を管理サーバ１００に送信する。
【００５９】
以上、媒体管理システムを構成する構成要素とその概要を説明した。次に、媒体管理のフロー例を説明する。ここでは、バックアップセンタＡ３００から諮問要求が管理サーバ１００に対してなされた例で説明する。
【００６０】
図９は、テープ巻き直し要否のフロー例を示すもので、左側にバックアップセンタＡ３００のコンピュータ３１０のフローを、右側に管理サーバ１００のフローを示している。まずフローは、オペレータによってＣＭＴがＭＴＬ−Ａ３２０に投入されることからスターする。ＭＴＬ−Ａ３２０のハンドは投入されたＣＭＴに貼付されているバーコードを読み取りテープＩＤを取得する。そして、そのテープＩＤを含んだテープ巻き直し要否諮問要求を管理サーバ１００に送信する（Ｓ１００、Ｓ１１０）。
【００６１】
管理サーバ１００は、テープ巻き直し要否の諮問要求をバックアップセンタＡ３００から受信する。そして、稼働情報ＤＢ１２０を参照し、ＣＭＴが直近に置かれた拠点の情報を取得する。取得した拠点の情報を基に輸送ストレス評価値ＤＢ１１０を参照し、要求元のバックアップセンタＡ３００とその取得した拠点との輸送ストレス評価値を取得する。取得した輸送ストレス評価値が予め設定された評価値（所定評価値）より大きければ「巻き直し要」と判定する。例えば所定評価値は６０である（Ｓ１２０−Ｓ１６０）。
【００６２】
取得した輸送ストレス評価値が所定評価値より小さければ稼働情報ＤＢ１２０を参照し、ＣＭＴの非使用の日数を求める。非使用とはＣＭＴがＭＴＬに投入されずに使用されずにいた状態にあることを言い、この日数は現在年月日から直近の使用年月日を引いて求める。この非使用日数が所定の日数以上であれば、「巻き直し要」と判定する。所定の日数以下であれば、「巻き直し不要」と判定する。例えば、この所定日数は９０日である。この判定結果を要求元のバックアップセンタＡ３００に回答として送信する（Ｓ１６０−Ｓ２００）。
【００６３】
バックアップセンタＡ３００は、管理サーバ１００から回答を受信し、回答内容が「巻き直し要」であれば諮問要求を行なったＣＭＴを全長に渡って巻き直しを実施する。回答内容が「巻き直し不要」であれば、巻き直しの処理は実施しない（Ｓ２１０−Ｓ２３０）。
【００６４】
次に、媒体交換要否のフローについて説明する。図１０は、図９と同様に左側にバックアップセンタＡ３００のコンピュータ３１０のフローを、右側に管理サーバ１００のフローを示している。フローは、ＭＴＬ−Ａ３２０に装着したＣＭＬのリードエラーまたはライトエラーが発生した時点からスタートする。バックアップセンタＡ３００のコンピュータ３１０は、ＭＴＬ−Ａ３２０のリトライ発生の情報を受けてそのＣＭＴのテープＩＤを含んだ媒体交換要否の諮問要求を管理サーバ１００に送信する（Ｓ３００、Ｓ３１０）。
【００６５】
管理サーバ１００は、送信されてきた諮問要求を受信する。そして、諮問要求に含まれるテープＩＤのＣＭＴのリトライ発生回数とマウント回数の累計を稼働情報ＤＢ１２０を参照して取得する。リトライ発生回数とマウント回数のそれぞれに予め設定した回数（所定回数）より大きければ「媒体交換要」と判定する（Ｓ３２０−Ｓ３５０）。
【００６６】
リトライ発生回数とマウント回数のいずれもが所定回数より小さければ、稼働情報ＤＢ１２０を参照し、本日年月日からテープ使用開始年月日を差し引いてその間の日数を求める。求めた日数が予め定めた日数（所定日数）以上であれば、媒体交換要と判定する。求めた日数が所定日数より小さければ、「媒体交換不要」と判定する。そして求めた判定結果を回答として要求元のバックアップセンタＡ３００のコンピュータ３１０に送信する（Ｓ３６０−Ｓ３９０）。
【００６７】
バックアップセンタＡ３００は、管理サーバ１００から回答を受信し、回答内容が「媒体交換要」であればＣＭＴを交換する必要がある旨をオペレータに通知する。回答内容が「媒体交換不要」であれば、通知の実施はしない（Ｓ４００−Ｓ４２０）。
【００６８】
上記のフローは媒体管理プログラム１７０、３８０によって実施される。
【００６９】
上の実施形態に関し、さらに以下の付記を開示する。
（付記１）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記管理サーバが、
前記バックアップセンタと前記保管拠点間、または異なるバックアップセンタ間の前記テープ状記録媒体の拠点間の輸送において、該テープ状記録媒体が受けるストレスの大きさを評価した評価値を前記管理サーバが備える記憶部に輸送ストレス評価値ＤＢとして予め記憶する輸送ストレス評価値記憶手順と、
前記バックアップセンタが使用した前記テープ状記録媒体のテープＩＤ、該バックアップセンタの拠点ＩＤ、使用期日を含む稼働情報を該バックアップセンタから受信し、稼働情報ＤＢとして前記記憶部に記憶する稼働情報記憶手順と、
前記保管拠点に入庫した前記テープ状記録媒体のテープＩＤと該保管拠点の拠点ＩＤを含む入庫情報を該保管拠点から受信し、前記稼働情報ＤＢに記憶する入庫情報記憶手順と、
前記バックアップセンタから指定されたテープＩＤの情報を含むテープ巻き直し要否の諮問要求を受信する諮問要求受信手順と、
前記諮問要求に基づいて前記輸送ストレス評価値ＤＢと前記稼働情報ＤＢとを参照し、前記テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する回答手順と
を実行することを特徴とする媒体管理方法。
（付記２）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記管理サーバが、
前記バックアップセンタが使用した前記テープ状記録媒体に対するテープＩＤ、新規使用開始期日、リード／ライトエラーによるリトライ発生回数、マウント回数を含む稼働情報を該バックアップセンタから受信し、稼働情報ＤＢとして前記記憶部に記憶する稼働情報記憶手順と、
前記バックアップセンタから指定されたテープＩＤの情報を含む媒体交換要否の諮問要求を受信する諮問要求受信手順と、
前記諮問要求に基づいて前記稼働情報ＤＢを参照し、前記テープＩＤに対するテープ状記録媒体の前記リトライ発生回数または前記マウント回数がそれぞれに設定された所定回答をいずれかが越える場合、または前記新規使用開始期日から現在時点までの使用期間が所定使用期間を越えている場合に媒体交換要と決定し、前記バックアップセンタに回答する回答手順と
を実行することを特徴とする媒体管理方法。
（付記３）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理方法であって、
前記バックアップセンタのコンピュータが、
前記テープ状記録媒体を前記バックアップセンタのテープライブラリ装置から排出するときに、該テープ状記録媒体のテープＩＤ、前記バックアップセンタの拠点ＩＤ、使用期日、新規使用開始期日、リード／ライトエラーによるリトライ発生回数、マウント回数を含む稼働情報を前記管理サーバに送信する稼働情報送信手順と
前記テープ状記録媒体が前記テープライブラリ装置に投入されたとき、該テープ状記録媒体のテープＩＤを含むテープ巻き直し要否の諮問要求を前記管理サーバに送信するテープ巻き直し諮問要求手順と、
前記テープ状記録媒体が前記テープライブラリ装置においてリード／ライトエラーを発生したとき、該テープ状記録媒体のテープＩＤを含む媒体交換要否の諮問要求を前記管理サーバに送信する媒体交換諮問要求手順と、
前記管理サーバからの前記諮問要求に対する回答を受信する回答受信手順と、
前記テープＩＤのテープ状記録媒体に対し、前記回答の内容に対応した処理を実行する対応処理実行手順と
を実行することを特徴とする媒体管理方法。
（付記４）
前記テープ状記録媒体が磁気テープであること
を特徴とする付記１乃至付記３に記載の媒体管理方法。
（付記５）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理プログラムであって、
前記管理サーバが、
前記バックアップセンタと前記保管拠点間、または異なるバックアップセンタ間の前記テープ状記録媒体の拠点間の輸送において、該テープ状記録媒体が受けるストレスの大きさを評価した評価値を前記管理サーバが備える記憶部に輸送ストレス評価値ＤＢとして予め記憶する輸送ストレス評価値記憶手順と、
前記バックアップセンタが使用した前記テープ状記録媒体のテープＩＤ、該バックアップセンタの拠点ＩＤ、使用期日を含む稼働情報を該バックアップセンタから受信し、稼働情報ＤＢとして前記記憶部に記憶する稼働情報記憶手順と、
前記保管拠点に入庫した前記テープ状記録媒体のテープＩＤと該保管拠点の拠点ＩＤを含む入庫情報を該保管拠点から受信し、前記稼働情報ＤＢに記憶する入庫情報記憶手順と、
前記バックアップセンタから指定されたテープＩＤの情報を含むテープ巻き直し要否の諮問要求を受信する諮問要求受信手順と、
前記諮問要求に基づいて前記輸送ストレス評価値ＤＢと前記稼働情報ＤＢとを参照し、前記テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する回答手順と
を実行するための媒体管理プログラム。
（付記６）
テープ状記録媒体を用いてデータのバックアップを行なうバックアップセンタと該テープ状記録媒体の保管拠点と該テープ状記録媒体の媒体管理を行なう管理サーバとがネットワークを介して接続する構成の媒体管理方法であって、
前記保管拠点のコンピュータが、
前記テープ状記録媒体を入庫したとき、該テープ状記録媒体のテープＩＤと前記保管拠点の拠点ＩＤとの情報を前記管理サーバに送信する入庫情報送信手順
を実行することを特徴とする媒体管理方法。
（付記７）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理プログラムであって、
前記管理サーバに、
前記バックアップセンタが使用した前記テープ状記録媒体に対する新規使用開始期日、リードおよびライトエラーによるリトライ発生回数、マウント回数を含む稼働情報を該バックアップセンタから受信し、稼働情報ＤＢとして前記記憶部に記憶する稼働情報記憶手順と、
前記バックアップセンタから指定されたテープＩＤの情報を含むテープ巻き直し要否の諮問要求を受信する諮問要求受信手順と、
前記諮問要求に基づいて前記稼働情報ＤＢを参照し、前記テープＩＤに対するテープ状記録媒体の前記リトライ発生回数または前記マウント回数がそれぞれに設定された所定回答をいずれかが越える場合、または前記新規使用開始期日から現在時点までの使用期間が所定使用期間を越えている場合に媒体交換要と決定し、前記バックアップセンタに回答する回答手順と
を実行させるための媒体管理プログラム。
（付記８）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した構成の媒体管理プログラムであって、
前記バックアップセンタのコンピュータに、
前記テープ状記録媒体を前記テープライブラリ装置から排出するときに、該テープ状記録媒体のテープＩＤ、前記バックアップセンタの拠点ＩＤ、使用期日、新規使用開始期日、リードおよびライトエラーによるリトライ発生回数、マウント回数を含む稼働情報を送信する稼働情報送信手順と
前記テープ状記録媒体が前記バックアップセンタのテープライブラリ装置に投入されたとき、該テープ状記録媒体のテープＩＤを含むテープ巻き直し要否の諮問要求を前記管理サーバに送信するテープ巻き直し諮問要求手順と、
前記テープ状記録媒体が前記バックアップセンタのテープライブラリ装置においてリード／ライトエラーを発生したとき、該テープ状記録媒体のテープＩＤを含む媒体交換要否の諮問要求を前記管理サーバに送信する媒体交換諮問要求手順と、
前記管理サーバからの前記諮問要求に対する回答を受信する回答受信手順と、
前記テープＩＤのテープ状記録媒体に対し前記回答の内容に対応した処理を実行する対応処理実行手順と、
を実行させるための媒体管理プログラム。
（付記９）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した媒体管理システムであって、
前記管理サーバが、
前記バックアップセンタと前記保管拠点間、または異なるバックアップセンタ間の前記テープ状記録媒体の拠点間の輸送において、該テープ状記録媒体が受けるストレスの大きさを評価した評価値を前記管理サーバが備える記憶部に輸送ストレス評価値ＤＢとして予め記憶する輸送ストレス評価値記憶手段と、
前記バックアップセンタが使用した前記テープ状記録媒体のテープＩＤ、該バックアップセンタの拠点ＩＤ、使用期日を含む稼働情報を該バックアップセンタから受信し、稼働情報ＤＢとして前記記憶部に記憶する稼働情報記憶手段と、
前記保管拠点に入庫した前記テープ状記録媒体のテープＩＤと該保管拠点の拠点ＩＤを含む入庫情報を該保管拠点から受信し、前記稼働情報ＤＢに記憶する入庫情報記憶手段と、
前記バックアップセンタから指定されたテープＩＤの情報を含むテープ巻き直し要否の諮問要求を受信する諮問要求受信手段と、
前記諮問要求に基づいて前記輸送ストレス評価値ＤＢと前記稼働情報ＤＢとを参照し、前記テープＩＤに対するテープ状記録媒体の直近の拠点から現在拠点までの輸送ストレス評価値が所定評価値を越えている場合、または直近の使用期日から現在時点までの期間が所定期間を越えている場合にテープ巻き直し要と決定し、前記バックアップセンタに回答する回答手段と
を備えることを特徴とする媒体管理システム。
（付記１０）
テープ状記録媒体を用いてデータのバックアップを行なうバックアップセンタと、該テープ状記録媒体の保管拠点と、該テープ状記録媒体の媒体管理を行なう管理サーバとがネットワークを介して接続した媒体管理システムであって、
前記管理サーバが、
前記バックアップセンタが使用した前記テープ状記録媒体に対するテープＩＤ、新規使用開始期日、リード／ライトエラーによるリトライ発生回数、マウント回数を含む稼働情報を該バックアップセンタから受信し、稼働情報ＤＢとして前記記憶部に記憶する稼働情報記憶手段と、
前記バックアップセンタから指定されたテープＩＤの情報を含む媒体交換要否の諮問要求を受信する諮問要求受信手段と、
前記諮問要求に基づいて前記稼働情報ＤＢを参照し、前記テープＩＤに対するテープ状記録媒体の前記リトライ発生回数または前記マウント回数がそれぞれに設定された所定回答をいずれかが越える場合、または前記新規使用開始期日から現在時点までの使用期間が所定使用期間を越えている場合に媒体交換要と決定し、前記バックアップセンタに回答する回答手段と
を備えることを特徴とする媒体管理システム。
【図面の簡単な説明】
【００７０】
【図１】第１の発明の原理図である。
【図２】第３の発明の原理図である。
【図３】媒体管理システムの構成例である。
【図４】管理サーバの構成例である。
【図５】輸送ストレス評価値ＤＢのデータ例である。
【図６】稼働情報ＤＢのデータ例である。
【図７】バックアップセンタの構成例である。
【図８】磁気テープ保管拠点の構成例である。
【図９】テープ巻き直し要否のフロー例である。
【図１０】媒体交換要否のフロー例である。
【符号の説明】
【００７１】
１      輸送ストレス評価値記憶手順
２      稼働情報記憶手順
３      入庫情報記憶手順
４      諮問要求手順
５      回答手順
１０    稼働情報送信手順
２０    テープ巻き直し諮問要求手順
３０    媒体交換諮問要求手順
４０    回答受信手順
５０    対応処理実行手順
１００  管理サーバ
１１０  輸送ストレス評価値ＤＢ
１２０  稼働情報ＤＢ
１３０  主制御部
１４０  通信制御部
１５０  入出力制御部
１５１  キーボード（ＫＢ）
１６０  主記憶
１７０  媒体管理プログラム
１７１  輸送ストレス評価値登録部
１７２  稼働情報登録部
１７３  諮問要求処理部
２００  ネットワーク
３００  バックアップセンタＡ
３１０  バックアップセンタＡのコンピュータ
３２０  ＭＴＬ−Ａ（磁気テープライブラリ装置Ａ）
３３０  ＭＴＬ−Ｂ（磁気テープライブラリ装置Ｂ）
３４０  主制御部
３５０  通信制御部
３６０  入出力制御部
３７０  主記憶
３８０  媒体管理プログラム
３８１  稼働情報送信部
３８２  諮問要求部
３８３  回答対応処理部
４００  バックアップセンタＢ
４１０  バックアップセンタＢのコンピュータ
４２０  ＭＴＬ−Ｃ（磁気テープライブラリ装置Ｃ）
５００  磁気テープ保管拠点
５０１  磁気テープ保管拠点に保管されたＣＭＴ（カートリッジ磁気テープ）
５１０  コンピュータ
５２０  主制御部
５３０  通信制御部
５４０  入出力制御部
５４１  バーコードリーダ
５５０  主記憶
５６０  媒体管理プログラム
５６１  入庫情報送信部
【図１】
2008171180.tif 000003
【図２】
2008171180.tif 000004
【図３】
2008171180.tif 000005
【図４】
2008171180.tif 000006
【図５】
2008171180.tif 000007
【図６】
2008171180.tif 000008
【図７】
2008171180.tif 000009
【図８】
2008171180.tif 000010
【図９】
2008171180.tif 000011
【図１０】
2008171180.tif 000012